(57)【要約】【課題】情報漏洩抑圧機能と実用性のバランスを図って印刷物を印刷することができる画像形成システムを提供する。【解決手段】画像形成装置と、情報処理装置が前記画像形成装置に印刷をさせるための印刷ジョブを送る第１のデバイスドライバと、を備える画像形成システムであって、前記画像形成装置は、当該画像形成装置に追跡文字印刷の設定がある場合には、前記第１のデバイスドライバから来た印刷ジョブにオーバレイを印刷するための情報が含まれていれば追跡文字の印刷をせず、前記第１のデバイスドライバから来た印刷ジョブにオーバレイを印刷するための情報が含まれていなければオーバレイの印刷をせず、追跡文字を印刷する。【選択図】図４
2018169858.tif 000002
【特許請求の範囲】
【請求項１】
画像形成装置と、
情報処理装置が前記画像形成装置に印刷をさせるための印刷ジョブを送る第１のデバイスドライバと、
を備える画像形成システムであって、
前記画像形成装置は、当該画像形成装置に追跡文字印刷の設定がある場合には、前記第１のデバイスドライバから来た印刷ジョブにオーバレイを印刷するための情報が含まれていれば追跡文字の印刷をせず、前記第１のデバイスドライバから来た印刷ジョブにオーバレイを印刷するための情報が含まれていなければオーバレイの印刷をせず、追跡文字を印刷することを特徴とする画像形成システム。
【請求項２】
画像形成装置と、
情報処理装置が前記画像形成装置に印刷をさせるための印刷ジョブを送る第１のデバイスドライバと、
を備える画像形成システムであって、
前記画像形成装置は、当該画像形成装置に追跡文字印刷の設定がある場合には、前記第１のデバイスドライバから来た印刷ジョブにオーバレイを印刷するための情報が含まれていれば追跡文字の代わりにオーバレイを印刷し、前記第１のデバイスドライバから来た印刷ジョブにオーバレイを印刷するための情報が含まれていなければオーバレイの印刷をせず、追跡文字を印刷することを特徴とする画像形成システム。
【請求項３】
請求項１または２に記載の画像形成システムであって、
情報処理装置が前記画像形成装置に印刷をさせるための印刷ジョブを送る第２のデバイスドライバを更に備え、
前記画像形成装置は、当該画像形成装置に追跡文字印刷の設定がある場合には、前記第２のデバイスドライバから来た印刷ジョブにオーバレイを印刷するための情報が含まれているか否かにかかわらず、追跡文字を印刷することを特徴とする画像形成システム。
【請求項４】
請求項３に記載の画像形成システムであって、
前記画像形成装置は、当該画像形成装置に追跡文字印刷の設定がある場合には、前記第２のデバイスドライバから来た印刷ジョブにオーバレイを印刷するための情報が含まれているか否かにかかわらず、オーバレイの印刷をしないことを特徴とする画像形成システム。
【請求項５】
請求項３に記載の画像形成システムであって、
前記画像形成装置は、当該画像形成装置に追跡文字印刷の設定がある場合には、前記第２のデバイスドライバから来た印刷ジョブにオーバレイを印刷するための情報が含まれていれば、オーバレイの印刷をすることを特徴とする画像形成システム。
【請求項６】
請求項３乃至５の何れか１項に記載の画像形成システムであって、
前記画像形成装置は、当該画像形成装置に対して追跡文字印刷の設定がない場合には、追跡文字の印刷をせず、前記第１のデバイスドライバ又は前記第２のデバイスドライバから来た印刷ジョブにオーバレイを印刷するための情報が含まれているか否かに従って、オーバレイ印刷の実行の有無を切り替えることを特徴とする画像形成システム。
【請求項７】
請求項１乃至６の何れか１項に記載の画像形成システムであって、
前記オーバレイを印刷するための情報とは、オーバレイ印刷命令又は原稿の画像データに重畳されたオーバレイの画像データであることを特徴とする画像形成システム。
【請求項８】
デバイスドライバから受信した印刷ジョブに従って印刷を行う画像形成装置であって、
当該画像形成装置に追跡文字印刷の設定があり、且つ、デバイスドライバから来た印刷ジョブに追跡文字キャンセル命令が含まれていない場合には、追跡文字を印刷するが、
当該画像形成装置に追跡文字印刷の設定があり、且つ、デバイスドライバから来た印刷ジョブに追跡文字キャンセル命令が含まれている場合には、前記追跡文字の印刷しないことを特徴とする画像形成装置。
【請求項９】
請求項８に記載の画像形成装置であって、
当該画像形成装置に追跡文字印刷の設定があり、且つ、デバイスドライバから来た印刷ジョブに追跡文字キャンセル命令が含まれていない場合には、前記印刷ジョブにオーバレイ印刷命令が含まれているか否かにかかわらず、オーバレイ印刷をしないことを特徴とする画像形成装置。
【請求項１０】
請求項９に記載の画像形成装置であって、
当該画像形成装置に追跡文字印刷の設定があり、且つ、デバイスドライバから来た印刷ジョブにオーバレイ印刷命令が含まれている場合には、
前記印刷ジョブに追跡文字キャンセル命令があれば、オーバレイを印刷し、
前記印刷ジョブに追跡文字キャンセル命令がなければ、オーバレイを印刷しないことを特徴とする画像形成装置。
【請求項１１】
請求項９又は１０に記載の画像形成装置であって、
当該画像形成装置に追跡文字印刷の設定がない場合には、追跡文字の印刷をせず、前記印刷ジョブにオーバレイ印刷命令が含まれているか否かに従って、オーバレイの印刷の実行の有無を切り替えることを特徴とする画像形成システム。
【請求項１２】
請求項９に記載の画像形成装置であって、
デバイスドライバから来た印刷ジョブに原稿の画像データに重畳されたオーバレイの画像データが含まれている場合には、オーバレイを印刷することを特徴とする画像形成装置。
【請求項１３】
画像形成装置と、
情報処理装置が前記画像形成装置に印刷をさせるための印刷ジョブを送る第１のデバイスドライバと、
を備える画像形成システムにおける画像形成方法であって、
前記画像形成装置は、当該画像形成装置に追跡文字印刷の設定がある場合には、前記第１のデバイスドライバから来た印刷ジョブにオーバレイを印刷するための情報が含まれていれば追跡文字の印刷をせず、前記第１のデバイスドライバから来た印刷ジョブにオーバレイを印刷するための情報が含まれていなければオーバレイの印刷をせず、追跡文字を印刷することを特徴とする画像形成方法。
【請求項１４】
画像形成装置と、
情報処理装置が前記画像形成装置に印刷をさせるための印刷ジョブを送る第１のデバイスドライバと、
を備える画像形成システムにおける画像形成方法であって、
前記画像形成装置は、当該画像形成装置に追跡文字印刷の設定がある場合には、前記第１のデバイスドライバから来た印刷ジョブにオーバレイを印刷するための情報が含まれていれば追跡文字の代わりにオーバレイを印刷し、前記第１のデバイスドライバから来た印刷ジョブにオーバレイを印刷するための情報が含まれていなければオーバレイの印刷をせず、追跡文字を印刷することを特徴とする画像形成方法。
【請求項１５】
画像形成装置と、
情報処理装置が前記画像形成装置に印刷をさせるための印刷ジョブを送るデバイスドライバと、
を備える画像形成システムにおける画像形成方法であって、
前記画像形成装置は、
当該画像形成装置に追跡文字印刷の設定があり、且つ、デバイスドライバから来た印刷ジョブに追跡文字キャンセル命令が含まれていない場合には、追跡文字を印刷するが、
当該画像形成装置に追跡文字印刷の設定があり、且つ、デバイスドライバから来た印刷ジョブに追跡文字キャンセル命令が含まれている場合には、前記追跡文字の印刷しないことを特徴とする画像形成方法。
【請求項１６】
コンピュータを請求項８乃至１２の何れか１項に記載の画像形成装置として機能させるためのプログラム。
【請求項１７】
画像形成装置に印刷をさせるための印刷ジョブを送るデバイスドライバであって、
オーバレイ印刷命令を含まず、追跡文字キャンセル命令も含まない印刷ジョブを送る手段と、
オーバレイ印刷命令を含み、追跡文字キャンセル命令も含む印刷ジョブを送る手段と、
を備えることを特徴とするデバイスドライバ。
【請求項１８】
請求項１７に記載のデバイスドライバと、他のデバイスドライバとを含むデバイスドライバセットであって、
前記他のデバイスドライバは、
オーバレイ印刷命令を含まず、追跡文字キャンセル命令も含まない印刷ジョブを送る手段と、
オーバレイ印刷命令を含み、追跡文字キャンセル命令を含まない印刷ジョブを送る手段と、
を備えることを特徴とするデバイスドライバセット。
【請求項１９】
画像形成装置に印刷をさせるための印刷ジョブを送るデバイスドライバであって、
印刷ジョブに原稿の画像データに重畳されたオーバレイの画像データを含まず、追跡文字キャンセル命令も含まない印刷ジョブを送る手段と、
印刷ジョブに原稿の画像データに重畳されたオーバレイの画像データを含み、追跡文字キャンセル命令も含む印刷ジョブを送る手段と、
を備えることを特徴とするデバイスドライバ。
【請求項２０】
請求項１９に記載のデバイスドライバと、他のデバイスドライバとを含むデバイスドライバセットであって、
前記他のデバイスドライバは、
印刷ジョブに原稿の画像データに重畳されたオーバレイの画像データを含まず、追跡文字キャンセル命令も含まない印刷ジョブを送る手段と、
印刷ジョブに原稿の画像データに重畳されたオーバレイの画像データを含み、追跡文字キャンセル命令を含まない印刷ジョブを送る手段と、
を備えることを特徴とするデバイスドライバセット。
【請求項２１】
情報処理装置がデバイスドライバを用いて画像形成装置に画像形成を実行させる画像形成方法であって、
ユーザ操作によるオーバレイ実行指示を受け付けるステップと、
前記実行指示を受け付けたか否かに応じてデバイスドライバ側で原稿画像データへのオーバレイの画像データ重畳を制御するステップと、
前記実行指示を受け付けたか否かに応じた画像形成装置側での追跡文字の合成の制御を指示する制御命令を、前記原稿画像データもしくはオーバレイ画像データが重畳された前記原稿画像データと対応づけて画像形成装置に送信するステップ、
前記画像形成装置における追跡文字合成の設定もしくは前記制御命令に基づいて画像形成装置側での追跡文字の合成を制御するステップ、
前記印刷ジョブに基づき画像形成を実行するステップ、
を有することを特徴とする画像形成方法。
【請求項２２】
情報処理装置において、印刷画像へのオーバレイの挿入の有無を受け付けるステップと、
前記情報処理装置において、前記オーバレイの挿入の有無に応じて、印刷ジョブに含める原稿の画像データに前記オーバレイの画像データを重畳させるか否かと、前記印刷ジョブに追跡文字キャンセル命令を挿入するか否かを連動して制御するステップと、
前記印刷ジョブを受信した画像形成装置において、該画像形成装置に追跡文字印刷の設定がされているか否かと、前記印刷ジョブの内容の双方に応じて、印刷画像に追跡文字を含めるべきか否かを制御するステップと、
を有することを特徴とする追跡文字印刷制御方法。
【発明の詳細な説明】
【技術分野】
【０００１】
本発明は、画像形成システム、画像形成装置、情報処理装置及びデバイスドライバ並びに印刷方法に関し、特に、本文に追加してオーバレイ又は追跡文字を印刷することができる画像形成システム、画像形成装置、情報処理装置及びデバイスドライバ並びに印刷方法に関する。
【背景技術】
【０００２】
画像形成装置を含む複合機は、様々な用途に用いられているが、特に、会社においてパーソナルコンピュータからの指示に応じてアプリケーションプログラムが作成した文書などを印刷物として印刷するために利用されることが多い。
【０００３】
会社において印刷される印刷物には、その会社内部において機密情報扱いされるもの、営業秘密扱いされるもの、又は、それらに準じるものが含まれる。このような機密性又は営業秘密性のある印刷物が社外に漏れることを防止したり抑制したりする必要がある。
【０００４】
そのために、従来は、例えば、特許文献１に開示されているように、情報漏えい抑制のため、管理者が全ての印刷物に対し複合機の追跡文字合成機能を適用するよう設定しておくことで、強制的に印刷物に追跡文字を合成させていた。
【先行技術文献】
【特許文献】
【０００５】
【特許文献１】特開２０００−３１３１５６号公報
【発明の概要】
【発明が解決しようとする課題】
【０００６】
しかしながら、全ての印刷物に対して追跡文字を合成するため、印刷物の用途（顧客への提出物など）によっては見栄えが悪く、用途にふさわしくないといったことが起こり得た。
【０００７】
これを防ぐためにユーザが自由に追跡文字をＯＮ／ＯＦＦできればよいが、そうすると本来の抑制機能を失ってしまう。
【０００８】
そこで、上記の点に鑑み、本発明は、情報漏洩抑圧機能と実用性のバランスを図って印刷物を印刷することができる画像形成システム、画像形成装置、情報処理装置及びデバイスドライバ並びに印刷方法を提供することを目的とする。
【課題を解決するための手段】
【０００９】
本発明によれば、
画像形成装置と、
情報処理装置が前記画像形成装置に印刷をさせるための印刷ジョブを送る第１のデバイスドライバと、
を備える画像形成システムであって、
前記画像形成装置は、当該画像形成装置に追跡文字印刷の設定がある場合には、前記第１のデバイスドライバから来た印刷ジョブにオーバレイを印刷するための情報が含まれていれば追跡文字の印刷をせず、前記第１のデバイスドライバから来た印刷ジョブにオーバレイを印刷するための情報が含まれていなければオーバレイの印刷をせず、追跡文字を印刷することを特徴とする画像形成システム
が提供される。
【００１０】
また、本発明によれば、
画像形成装置と、
情報処理装置が前記画像形成装置に印刷をさせるための印刷ジョブを送る第１のデバイスドライバと、
を備える画像形成システムであって、
前記画像形成装置は、当該画像形成装置に追跡文字印刷の設定がある場合には、前記第１のデバイスドライバから来た印刷ジョブにオーバレイを印刷するための情報が含まれていれば追跡文字の代わりにオーバレイを印刷し、前記第１のデバイスドライバから来た印刷ジョブにオーバレイを印刷するための情報が含まれていなければオーバレイの印刷をせず、追跡文字を印刷することを特徴とする画像形成システムが提供される。
【００１１】
更に、本発明によれば、
デバイスドライバから受信した印刷ジョブに従って印刷を行う画像形成装置であって、
当該画像形成装置に追跡文字印刷の設定があり、且つ、デバイスドライバから来た印刷ジョブに追跡文字キャンセル命令が含まれていない場合には、追跡文字を印刷するが、
当該画像形成装置に追跡文字印刷の設定があり、且つ、デバイスドライバから来た印刷ジョブに追跡文字キャンセル命令が含まれている場合には、前記追跡文字の印刷しないことを特徴とする画像形成装置が提供される。
【００１２】
更に、本発明によれば、
画像形成装置と、
情報処理装置が前記画像形成装置に印刷をさせるための印刷ジョブを送る第１のデバイスドライバと、
を備える画像形成システムにおける画像形成方法であって、
前記画像形成装置は、当該画像形成装置に追跡文字印刷の設定がある場合には、前記第１のデバイスドライバから来た印刷ジョブにオーバレイを印刷するための情報が含まれていれば追跡文字の印刷をせず、前記第１のデバイスドライバから来た印刷ジョブにオーバレイを印刷するための情報が含まれていなければオーバレイの印刷をせず、追跡文字を印刷することを特徴とする画像形成方法が提供される。
【００１３】
更に、本発明によれば、
画像形成装置と、
情報処理装置が前記画像形成装置に印刷をさせるための印刷ジョブを送る第１のデバイスドライバと、
を備える画像形成システムにおける画像形成方法であって、
前記画像形成装置は、当該画像形成装置に追跡文字印刷の設定がある場合には、前記第１のデバイスドライバから来た印刷ジョブにオーバレイを印刷するための情報が含まれていれば追跡文字の代わりにオーバレイを印刷し、前記第１のデバイスドライバから来た印刷ジョブにオーバレイを印刷するための情報が含まれていなければオーバレイの印刷をせず、追跡文字を印刷することを特徴とする画像形成方法が提供される。
【００１４】
更に、本発明によれば、
画像形成装置と、
情報処理装置が前記画像形成装置に印刷をさせるための印刷ジョブを送るデバイスドライバと、
を備える画像形成システムにおける画像形成方法であって、
前記画像形成装置は、
当該画像形成装置に追跡文字印刷の設定があり、且つ、デバイスドライバから来た印刷ジョブに追跡文字キャンセル命令が含まれていない場合には、追跡文字を印刷するが、
当該画像形成装置に追跡文字印刷の設定があり、且つ、デバイスドライバから来た印刷ジョブに追跡文字キャンセル命令が含まれている場合には、前記追跡文字の印刷しないことを特徴とする画像形成方法が提供される。
【００１５】
更に、本発明によれば、コンピュータを上記の画像形成装置として機能させるためのプログラムが提供される。
【００１６】
更に、本発明によれば、
画像形成装置に印刷をさせるための印刷ジョブを送るデバイスドライバであって、
オーバレイ印刷命令を含まず、追跡文字キャンセル命令も含まない印刷ジョブを送る手段と、
オーバレイ印刷命令を含み、追跡文字キャンセル命令も含む印刷ジョブを送る手段と、
を備えることを特徴とするデバイスドライバが提供される。
【００１７】
更に、本発明によれば、
画像形成装置に印刷をさせるための印刷ジョブを送るデバイスドライバであって、
印刷ジョブに原稿の画像データに重畳されたオーバレイの画像データを含まず、追跡文字キャンセル命令も含まない印刷ジョブを送る手段と、
印刷ジョブに原稿の画像データに重畳されたオーバレイの画像データを含み、追跡文字キャンセル命令も含む印刷ジョブを送る手段と、
を備えることを特徴とするデバイスドライバが提供される。
【００１８】
更に、本発明によれば、
情報処理装置がデバイスドライバを用いて画像形成装置に画像形成を実行させる画像形成方法であって、
ユーザ操作によるオーバレイ実行指示を受け付け、前記実行指示を受け付けたか否かに応じてデバイスドライバ側で原稿画像データへのオーバレイの画像データ重畳を制御するステップ、
前記実行指示を受け付けたか否かに応じた画像形成装置側での追跡文字の合成の制御を指示する制御命令を、前記原稿画像データもしくはオーバレイ画像データが重畳された前記原稿画像データと対応づけて画像形成装置に送信するステップ、
前記画像形成装置における追跡文字合成の設定もしくは前記制御命令に基づいて画像形成装置側での追跡文字の合成を制御するステップ、
前記印刷ジョブに基づき画像形成を実行するステップ、
を有することを特徴とする画像形成方法が提供される。
【００１９】
更に、本発明によれば、
情報処理装置において、印刷画像へのオーバレイの挿入の有無を受け付けるステップと、
前記情報処理装置において、前記オーバレイの挿入の有無に応じて、印刷ジョブに含める原稿の画像データに前記オーバレイの画像データを重畳させるか否かと、前記印刷ジョブに追跡文字キャンセル命令を挿入するか否かを連動して制御するステップと、
前記印刷ジョブを受信した画像形成装置において、該画像形成装置に追跡文字印刷の設定がされているか否かと、前記印刷ジョブの内容の双方に応じて、印刷画像に追跡文字を含めるべきか否かを制御するステップと、
を有することを特徴とする追跡文字印刷制御方法が提供される。
【発明の効果】
【００２０】
本発明によれば、情情報漏洩抑圧機能と実用性のバランスを図って印刷物を印刷することができる。
【図面の簡単な説明】
【００２１】
【図１】本発明の第1の実施の形態による複合機の概念的断面図である。
【図２】本発明の第1の実施の形態による複合機の機能ブロック図である。
【図３】本発明の第２の実施の形態による画像形成システムの構成を示すブロック図である。
【図４】本発明の第２の実施の形態による画像形成システムによる印刷内容の一例を示す図である。
【図５】本発明の第２の実施の形態における図３に示す印刷処理部とその周辺部を示すブロック図である。
【図６Ａ】図３に示す印刷項目真理値表の内容を示す表である。
【図６Ｂ】本発明の第６の実施の形態における図３に示す印刷項目真理値表の内容を示す表である。
【図６Ｃ】本発明の第７の実施の形態における図３に示す印刷項目真理値表の内容を示す表である。
【図７】本発明の第２の実施の形態による画像形成システムにおいて通常版のデバイスドライバを用いた場合の動作を示すシーケンス図である。
【図８】本発明の第２の実施の形態による画像形成システムにおいて特別版のデバイスドライバを用いた場合の動作を示すシーケンス図である。
【図９】本発明の第７の実施の形態における図３に示す印刷処理部とその周辺部を示すブロック図である。
【図１０】本発明の第７の実施の形態による画像形成システムにおいて通常版のデバイスドライバを用いた場合の動作を示すシーケンス図である。
【図１１】本発明の第７の実施の形態による画像形成システムにおいて特別版のデバイスドライバを用いた場合の動作を示すシーケンス図である。
【図１２】本発明の実施形態によるオーバレイの一例を示す図である。
【図１３】本発明の実施形態によるオーバレイの他の一例を示す図である。
【図１４】本発明の実施形態によるオーバレイの更に他の一例を示す図である。
【発明を実施するための形態】
【００２２】
以下、図面を参照して本発明を実施するための形態について詳細に説明する。
【００２３】
［第１の実施の形態］
第1の実施の形態は、第２以下の実施の形態で用いられるものである。図１及び図２は、画像処理装置の一例としての複合機８００の構成などを示すものである。
【００２４】
図１及び図２に示すように、複合機８００は、原稿の画像を読み取る原稿読取装置８２０と、シートに画像を形成する複合機本体（画像形成部本体）８３０と、原稿読取装置８２０及び複合機本体８３０を操作するための操作パネル部８４３と、操作パネル部８４３による操作に基づいて原稿読取装置８２０及び複合機本体８３０を制御する演算処理部８４１と、を備えている。また、複合機８００は、入出力インターフェース３０５も備えるが、これは後述する。
【００２５】
画像読取りのために原稿読取装置８２０を単体で用いること、画像形成のために複合機本体８３０を単体で用いることの他に、画像を複写するためにこれらを連動させることもできる。また、複合機８００は図示しない記憶装置及びファクシミリ装置を含んでいてもよい。記憶装置は、原稿読取装置８２０により読み取られた画像やファクシミリ装置により受信した画像を格納することができる。ファクシミリ装置は、原稿読取装置８２０により読み取られた画像や記憶装置に格納されている画像を送信することと、外部から画像を受信することができる。更に、複合機８００は、ネットワークを介してパーソナルコンピュータと接続するためのインターフェースを含んでいてもよい。複合機８００に接続されたパーソナルコンピュータは、これが管理できるデータについて複合機の機能を利用することができる。
【００２６】
原稿読取装置８２０は、原稿を自動給送する原稿自動給送部ＳＰＦ(Single Pass Feeder)８２４と、原稿の画像を読み取る読取装置本体８２２と、を備えている。なお、原稿読取装置８２０は、図２に示す構成要素の他に、図２は示されないが図１に示される構成要素も含む。また、図１に示すように、読取装置本体８２２には、原稿台８２６が備わる。
【００２７】
複合機本体８３０は、シートを給送するシート給送部１０と、シートを手差し給送可能な手差し給送部２０と、シート給送部１０又は手差し給送部２０により給送されるシートに画像を形成する画像形成部３０と、を備えている。
【００２８】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【００２９】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体８３０に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【００３０】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【００３１】
４つのプロセスカートリッジ３１Ｙ〜３１Ｋのそれぞれは、複合機本体８３０から取り外し可能に構成されており、交換可能となっている。なお、４つのプロセスカートリッジ３１Ｙ〜３１Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【００３２】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【００３３】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【００３４】
操作パネル部８４３は、所定の情報を表示する表示部８４５と、利用者が原稿読取装置８２０及び複合機本体８３０への指示を入力する入力部８４７と、を備えている。本実施形態においては、操作パネル部８４３は、読取装置本体８２２の正面側に配設されている。なお、正面側は図１の紙面の手前側に対応し、裏面側は図１の背面側に対応する。
【００３５】
図２に示すように、演算処理部８４１は、シート給送部１０、手差し給送部２０、画像形成部３０及び原稿読取装置８２０を駆動制御するＣＰＵ８４１ａと、ＣＰＵ８４１ａを動作させるための各種プログラムとＣＰＵ８４１ａが用いる各種情報等を記憶するメモリ８４１ｂと、を備えている。演算処理部８４１は、利用者による操作パネル部８４３への操作に基づいて、シート給送部１０、手差し給送部２０、画像形成部３０及び原稿読取装置８２０の動作を統合して制御し、シートに画像を形成させる。
【００３６】
次に、上述のように構成された複合機８００による画像形成動作（演算処理部８４１による画像形成制御）について説明する。本実施形態においては、原稿自動給送部８２４により給送され、読取装置本体８２２により読み取られた読取原稿の画像を、シート給送部１０により給送されるシートに画像形成部３０が形成する画像形成動作を例にとり説明する。
【００３７】
利用者による操作パネル部８４３の入力部８４７への入力により、画像形成開始信号が発信されると、利用者により原稿自動給送部８２４に載置された読取原稿が原稿読取位置に向けて自動給送され、原稿読取位置で読取装置本体８２２によって画像が読み取られる。
【００３８】
読取装置本体８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｋにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【００３９】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【００４０】
トナー像が転写されたシートは、定着部３４で加熱・加圧されることでトナー像が溶融定着され、排出ローラ対１８により装置外に排出される。装置外に排出されたシートは、排出シート積載部１９に積載される。
【００４１】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【００４２】
［第２の実施の形態］
本発明の実施の形態による画像形成システムの全体の構成を示すブロック図である図３を参照すると、このシステムは、第１の情報処理装置１０１、第２の情報処理装置２０１及び複合機８００を含む。これらは、ネットワーク５０１により接続され、相互に通信可能である。また、ネットワーク５０１には、同様な構成を持つ情報処理装置が接続されていてもよい。
【００４３】
第１の情報処理装置１０１は、オペレーティングシステム１０３、アプリケーションプログラム１０５、通常版デバイスドライバ１０７及び入出力インターフェース１０９を含む。
【００４４】
第２の情報処理装置２０１は、オペレーティングシステム２０３、アプリケーションプログラム２０５、特別版デバイスドライバ２０７及び入出力インターフェース２０９を含む。
【００４５】
複合機８００は、本実施形態に関連した部分として印刷処理部３０３、画像形成部８３０及び入出力インターフェース３０５を含む。図２に示す演算処理部８４１を印刷処理部３０３として機能させることができるが、他の同様な演算処理部（図示せず）を印刷処理部３０３として機能させることもでき、印刷処理部３０３をハードウェアにより構成してもよい。
【００４６】
第１の情報処理装置１０１は、通常のコンピュータと同様に、ＣＰＵ、主記憶装置を備え、外部記憶装置に接続されているが、これらの図示を省略する。オペレーティングシステム１０３、アプリケーションプログラム１０５及び通常版デバイスドライバ１０７は、ＣＰＵが外部記憶装置から読み込んだプログラムを一旦主記憶装置に複製してから実行することにより実現される。ＣＰＵは、プログラムの実行時には、外部記憶装置及び／又は主記憶装置に対してデータの読み書きをする。
【００４７】
オペレーティングシステム１０３は、第１の情報処理装置１０１の動作の全体を制御する。
【００４８】
アプリケーションプログラム１０５は、オペレーティングシステム１０３上で稼働するプログラムであり、例えば、ワードプロセッサ、表計算プログラム、図面用プログラムである。アプリケーションプログラムは、２以上あってもよい。
【００４９】
入出力インターフェース１０９は、ハードウェアにより構成されたものであり、ネットワーク５０１を介して、これに接続された他の装置とデータのやりとりをするが、特に、複合機８００に含まれる入出力インターフェース３０５に対して印刷ジョブを送信する。入出力インターフェース１０９は、ファームウェアなどのソフトウェアと組み合わされていてもよい。
【００５０】
通常版デバイスドライバ１０７は、オペレーティングシステム１０３からの指示に従って、入出力インターフェース１０９を駆動して、オペレーティングシステム１０３とネットワーク５０１との間のデータの入出力を介在する。なお、通常版デバイスドライバ１０７は、アプリケーションプログラム１０５からの指示に従って、入出力インターフェース１０９を駆動して、アプリケーションプログラム１０５とネットワーク５０１との間のデータの入出力を介在してもよい。
【００５１】
第２の情報処理装置２０１は、第１の情報処理装置１０１と同様な構成を有するが、通常版デバイスドライバ１０７が、特別版デバイスドライバ２０７に置き換わっている点が異なる。
【００５２】
印刷処理部３０３は、第１の情報処理装置１０１又は第２の情報処理装置２０１から受信した印刷ジョブに従って印刷データなどを生成し、これらにより画像形成部８３０に対して画像形成をさせる。
【００５３】
入出力インターフェース３０５は、ハードウェアにより構成されたものであり、ネットワーク５０１を介して、これに接続された他の装置とデータのやりとりをするが、特に、第１の情報処理装置１０１及び第２の情報処理装置２０１にそれぞれ含まれる入出力インターフェース１０９及び２０９から印刷ジョブを受信する。入出力インターフェース３０５は、ファームウェアなどのソフトウェアと組み合わされていてもよい。
【００５４】
アプリケーションプログラム１０５が作成した文書などを画像形成部８３０により印刷する場合には、アプリケーションプログラム１０５の印刷ダイアログ画面で選択された通常版デバイスドライバ１０７が利用される。アプリケーションプログラム１０５は、直接又はオペレーティングシステム１０３を介して、通常版デバイスドライバ１０７に対してアプリケーションプログラム１０５が作成した文書のデータと印刷命令を出力する。なお、通常版デバイスドライバ１０７は、アプリケーションプログラム１０５から入力した文書のデータと印刷命令を印刷ジョブに変換してから印刷処理部３０３に送信する。
【００５５】
また、利用者は、アプリケーションプログラム１０５の印刷ダイアログ画面から呼び出された通常版デバイスドライバ１０７により提供される設定画面でオーバレイの印刷のＯＮ／ＯＦＦとオーバレイの選択をすることができる。
【００５６】
アプリケーションプログラム２０５が作成した文書を画像形成部８３０により印刷する場合には、アプリケーションプログラム２０５の印刷ダイアログ画面で選択された特別版デバイスドライバ２０７が利用される。アプリケーションプログラム２０５は、直接又はオペレーティングシステム２０３を介して、特別版デバイスドライバ２０７に対してアプリケーションプログラム１０５が作成した文書のデータと印刷命令を出力する。なお、特別版デバイスドライバ２０７は、アプリケーションプログラム２０５から入力した文書のデータと印刷命令を印刷ジョブに変換してから印刷処理部３０３に送信する。
【００５７】
また、利用者は、アプリケーションプログラム２０５の印刷ダイアログ画面から呼び出された特別版デバイスドライバ２０７により提供される設定画面でオーバレイの印刷のＯＮ／ＯＦＦとオーバレイの選択をすることができる。
【００５８】
次に、図４を参照すると、複合機８００は、各用紙に本文テキスト４０１のみの印刷（図４（ａ）参照）、本文テキスト４０１に追跡文字４０３を追加した印刷（図４（ｂ）参照）、本文テキスト４０１にオーバレイ４０５を追加した印刷（図４（ｃ）参照）の何れかをすることができる。
【００５９】
図４（ｂ）に一例を示すように、追跡文字４０３は、会社名、部門、印刷者、印刷日時、使用ソフト（使用アプリケーション）、使用プリンタ（使用画像処理装置）を含む。これらにより、この印刷物を見た者は、誰であっても、これらを特定することができるので、印刷物の管理性を高めることができる。また、図示していないが、追跡文字４０３には、印刷物が秘密に管理されていることを示す文字（例えば、「マル秘」、「関係者に限る」、「社外秘」）が含まれていてもよい。追跡文字４０３を印刷物に印刷することにより、情報漏洩抑圧機能を発揮することができる。つまり、印刷物の営業秘密性を一面で担保することができ、また、不正な印刷を牽制することができる。また、印刷物が外部に流出してしまった場合、源流を追跡することができるようになるので、外部流出を牽制することができ、万が一流出しても、流出源や流出経路を知ることができるようになる。
【００６０】
図４（ｃ）に一例を示すように、オーバレイ４０５は、会社のロゴ、会社名、部門名を含む。これらにより、この印刷物を見た者は、これらを特定することができる。
【００６１】
但し、オーバレイ４０５としては、印刷物の出所となる会社と部門を識別することができるようなものを用いるが、必ずしも、これらを会社名の文字と部門名の文字により表す必要はない。例えば、会社のロゴと部門に対応した背景色により、会社と部門を表すようにしてもよい。そうすれば、一般人は、会社を識別できるが部門を識別することができず、その一方で、部門名と背景色との対応関係を知っている従業員は、自社の印刷物であるということのみならず背景色に対応した部門を印刷を行った部門として認識することができる。この例に限らず、どのような情報をどのような規則や知識により変換してオーバレイに埋め込むのかということを知っている者のみがその情報を解読できるようなオーバレイであって、しかも、埋め込み後のデザイン性がよいものを用いることにより、オーバレイを有効に利用することができるようになる。
【００６２】
オーバレイ４０５としては、図１２乃至図１４に示すような通常の視覚で認識できるような透かしを用いてもよい。これらの図において、右上がりの文字列がオーバレイである。
【００６３】
更に、オーバレイに、通常の視覚では認識できない電子透かしを含めてもよい。そして、電子透かしが、追跡文字で表す内容の全てを含むようにしてもよい。
【００６４】
オーバレイを情報処理装置１０１、１０２に複数用意しておいて、利用者が何れかを選択できるようにしてもよい。また、利用者が、独自のオーバレイを作成することもできるようにしてもよい。
【００６５】
本実施形態においては、複合機８００に対する設定と、デバイスドライバ１０７、２０７からの命令により、図４（ａ）乃至図４（ｃ）の何れかの形態の印刷物を選択的に印刷することができるが、そのためには、図５に示すように、印刷処理部３０３は、複合機８００に対する設定を反映した追跡文字フラグ３０７、デバイスドライバ１０７、２０７からの命令を反映したオーバレイフラグ３０９、デバイスドライバ１０７、２０７からの命令を反映した追跡文字キャンセルフラグ３１１を利用する。
【００６６】
複合機８００は、操作パネル８４３を介して、追跡文字４０３を印刷するか否かの指定を受けることができる。受けた内容は、追跡文字フラグ３０７により保持される。追跡文字フラグ３０７は、追跡文字４０３の印刷をする指定がされればセットされ、追跡文字４０３の印刷をしない指定がされればリセットされる。
【００６７】
また、第１又は第２の情報処理装置１０１又は２０１から受信する印刷ジョブには、オーバレイ４０５の印刷に関する情報が含まれているが、オーバレイフラグ３０９によりこの情報が保持される。オーバレイフラグ３０９は、印刷ジョブにオーバレイ印刷命令が含まれていればセットされ、印刷ジョブにオーバレイ印刷命令が含まれていなければリセットされる。
【００６８】
更に、第１又は第２の情報処理装置１０１又は２０１から受信する印刷ジョブには、追跡文字キャンセル命令が含まれていたり含まれていなかったりするが、追跡文字キャンセルフラグ３１１により追跡文字キャンセル命令に関する情報が保持される。追跡文字キャンセルフラグ３１１は、印刷ジョブに追跡文字キャンセル命令が含まれていればセットされ、印刷ジョブに追跡文字キャンセル命令が含まれていなければリセットされる。
【００６９】
なお、第１又は第２のデバイスドライバ１０７又は２０７は、利用者による操作に従って、複合機８００に送信する印刷ジョブのオーバレイ４０５に関する情報を設定する。利用者がオーバレイ印刷をするための設定や指示をした場合には、通常版の第２のデバイスドライバ１０７又は特別版デバイスドライバ２０７は、印刷ジョブのオーバレイ４０５に関する情報をそのように設定する。
【００７０】
また、通常版デバイスドライバ１０７は、常に、追跡文字キャンセル命令を印刷ジョブに含めない。つまり、通常版デバイスドライバ１０７は、利用者がオーバレイ印刷をするための設定や指示をした場合であってもそうでない場合であっても、追跡文字キャンセル命令を印刷ジョブに含めない。
【００７１】
特別版デバイスドライバ２０７は、利用者がオーバレイ印刷をするための設定や指示をした場合には、追跡文字キャンセル命令を印刷ジョブに含めるが、そうでない場合には、追跡文字キャンセル命令を印刷ジョブに含めない。
【００７２】
印刷処理部３０３が参照する印刷項目真理値表３１３の内容を示す図６Ａを参照して、様々な場合に対応したオーバレイ及び追跡文字の印刷の実行の有無の説明をする。
【００７３】
複合機８００に対して追跡文字印刷ＯＦＦの設定がされている場合には、通常版デバイスドライバ１０７からの印刷ジョブに対しては、複合機８００は、次のように動作する。つまり、追跡文字は常に印刷しない。また、オーバレイの印刷命令の有無に従って、オーバレイの印刷を実行し又は実行しない。
【００７４】
複合機８００に対して追跡文字印刷ＯＮの設定がされている場合には、通常版デバイスドライバ１０７からの印刷ジョブに対しては、複合機８００は、次のように動作する。つまり、追跡文字は常に印刷する。また、オーバレイの印刷命令の有無にかかわらず、オーバレイの印刷を実行しない。
【００７５】
複合機８００に対して追跡文字印刷ＯＦＦの設定がされている場合には、特別版デバイスドライバ２０７からの印刷ジョブに対しては、複合機８００は、次のように動作する。つまり、追跡文字は常に印刷しない。また、オーバレイの印刷命令の有無に従って、オーバレイの印刷を実行し又は実行しない。これは、通常版デバイスドライバ１０７の場合と同様である。
【００７６】
複合機８００に対して追跡文字印刷ＯＮの設定がされている場合には、特別版デバイスドライバ２０７からの印刷ジョブに対しては、複合機８００は、次のように動作する。つまり、オーバレイの印刷命令がない場合には、追跡文字を印刷し、逆に、オーバレイの印刷命令がある場合には、追跡文字の代わりにオーバレイを印刷する。
【００７７】
上記の動作を、追跡文字キャンセル命令に着目して、説明すると次のようになる。
【００７８】
複合機８００に対して追跡文字印刷ＯＦＦの設定がされている場合には、通常版デバイスドライバ１０７及び特別版デバイスドライバ２０７の双方からの印刷ジョブに対して、複合機８００は、次のように動作する。つまり、追跡文字は常に印刷しない。また、オーバレイの印刷命令の有無に従って、オーバレイの印刷を実行し又は実行しない。
【００７９】
複合機８００に対して追跡文字印刷ＯＮの設定がされている場合には、通常版デバイスドライバ１０７及び特別版デバイスドライバ２０７の双方からの印刷ジョブに対して、複合機８００は、次のように動作する。つまり、追跡文字キャンセル命令がなければ、オーバレイ印刷命令の有無にかかわらず、追跡文字を印刷するが、オーバレイの印刷を実行しない。また、追跡文字キャンセル命令があれば、追跡文字の代わりにオーバレイを印刷する。
【００８０】
次に、通常版デバイスドライバ１０７は、オーバレイ印刷の指定を受けても受けなくても、追跡文字キャンセル命令を印刷ジョブに含めない。また、特別版デバイスドライバ２０７は、オーバレイ印刷の指定を受けなければ、追跡文字キャンセル命令を印刷ジョブに含めないが、オーバレイ印刷の指定を受ければ、追跡文字キャンセル命令を印刷ジョブに含める。
【００８１】
また、通常版デバイスドライバ１０７、特別版デバイスドライバ２０７の双方は、オーバレイ印刷の指定を受ければ、印刷ジョブにオーバレイ印刷命令を含める。
【００８２】
次に、図７を参照して、通常版デバイスドライバ１０７を利用した場合の動作例を説明する。
【００８３】
まず、管理者が画像処理装置５０１に対して、追跡文字印刷ＯＦＦの設定をする（ステップＳ５０１）。
【００８４】
次に、通常版デバイスドライバ利用者が第１の情報処理装置１０１に対して、オーバレイＯＦＦの設定と共に印刷のための操作をする（ステップＳ５０３）。
【００８５】
次に、第１の情報処理装置１０１が、複合機８００に対して、印刷ジョブを送信する（ステップＳ５０５）。ここでの印刷ジョブには、オーバレイ印刷命令も追跡文字キャンセル命令も含まれていない。
【００８６】
次に、複合機８００は、印刷を実行する（ステップＳ５０７）。ここでは、本文を印刷するが、追跡文字とオーバレイは印刷しない。
【００８７】
次に、通常版デバイスドライバ利用者が第１の情報処理装置１０１に対して、オーバレイＯＮの設定と共に印刷のための操作をする（ステップＳ５０９）。
【００８８】
次に、第１の情報処理装置１０１が、複合機８００に対して、印刷ジョブを送信する（ステップＳ５１１）。ここでの印刷ジョブには、オーバレイ印刷命令は含まれているが、追跡文字キャンセル命令は含まれていない。
【００８９】
次に、複合機８００は、印刷を実行する（ステップＳ５１３）。ここでは、本文を印刷とオーバレイを印刷するが、追跡文字は印刷しない。
【００９０】
次に、管理者が画像処理装置５０１に対して、追跡文字印刷ＯＮの設定をする（ステップＳ５１５）。
【００９１】
次に、通常版デバイスドライバ利用者が第１の情報処理装置１０１に対して、オーバレイＯＦＦの設定と共に印刷のための操作をする（ステップＳ５１７）。
【００９２】
次に、第１の情報処理装置１０１が、複合機８００に対して、印刷ジョブを送信する（ステップＳ５１９）。ここでの印刷ジョブにも、オーバレイ印刷命令も追跡文字キャンセル命令も含まれていない。
【００９３】
次に、複合機８００は、印刷を実行する（ステップＳ５２１）。ここでは、本文と追跡文字を印刷するが、オーバレイは印刷しない。
【００９４】
次に、通常版デバイスドライバ利用者が第１の情報処理装置１０１に対して、オーバレイＯＮの設定と共に印刷のための操作をする（ステップＳ５２３）。
【００９５】
次に、第１の情報処理装置１０１が、複合機８００に対して、印刷ジョブを送信する（ステップＳ５２５）。ここでの印刷ジョブには、オーバレイ印刷命令は含まれているが、追跡文字キャンセル命令は含まれていない。
【００９６】
次に、複合機８００は、印刷を実行する（ステップＳ５２７）。ここでは、本文と追跡文字を印刷するが、オーバレイは印刷しない。
【００９７】
次に、図８を参照して、特別版デバイスドライバ２０７を利用した場合の動作例を説明する。
【００９８】
まず、管理者が画像処理装置５０１に対して、追跡文字印刷ＯＦＦの設定をする（ステップＳ５３１）。
【００９９】
次に、特別版デバイスドライバ利用者が第２の情報処理装置２０１に対して、オーバレイＯＦＦの設定と共に印刷のための操作をする（ステップＳ５３３）。
【０１００】
次に、第２の情報処理装置２０１が、複合機８００に対して、印刷ジョブを送信する（ステップＳ５３５）。ここでの印刷ジョブには、オーバレイ印刷命令も追跡文字キャンセル命令も含まれていない。
【０１０１】
次に、複合機８００は、印刷を実行する（ステップＳ５３７）。ここでは、本文を印刷するが、追跡文字とオーバレイは印刷しない。
【０１０２】
次に、特別版デバイスドライバ利用者が第２の情報処理装置２０１に対して、オーバレイＯＮの設定と共に印刷のための操作をする（ステップＳ５３９）。
【０１０３】
次に、第２の情報処理装置２０１が、複合機８００に対して、印刷ジョブを送信する（ステップＳ５４１）。ここでの印刷ジョブには、オーバレイ印刷命令は含まれているが、追跡文字キャンセル命令は含まれていない。
【０１０４】
次に、複合機８００は、印刷を実行する（ステップＳ５４３）。ここでは、本文を印刷とオーバレイを印刷するが、追跡文字は印刷しない。
【０１０５】
次に、管理者が画像処理装置５０１に対して、追跡文字印刷ＯＮの設定をする（ステップＳ５４５）。
【０１０６】
次に、特別版デバイスドライバ利用者が第２の情報処理装置２０１に対して、オーバレイＯＦＦの設定と共に印刷のための操作をする（ステップＳ５４７）。
【０１０７】
次に、第２の情報処理装置２０１が、複合機８００に対して、印刷ジョブを送信する（ステップＳ５４９）。ここでの印刷ジョブにも、オーバレイ印刷命令も追跡文字キャンセル命令も含まれていない。
【０１０８】
次に、複合機８００は、印刷を実行する（ステップＳ５５１）。ここでは、本文と追跡文字を印刷するが、オーバレイは印刷しない。
【０１０９】
次に、特別版デバイスドライバ利用者が第２の情報処理装置２０１に対して、オーバレイＯＮの設定と共に印刷のための操作をする（ステップＳ５５３）。
【０１１０】
次に、第２の情報処理装置２０１が、複合機８００に対して、印刷ジョブを送信する（ステップＳ５５５）。ここでの印刷ジョブには、オーバレイ印刷命令は含まれていて、追跡文字キャンセル命令も含まれている。
【０１１１】
次に、複合機８００は、印刷を実行する（ステップＳ５５７）。ここでは、本文とオーバレイを印刷するが、追跡文字は印刷しない。つまり、追跡文字の代わりにオーバレイを印刷する。
【０１１２】
［第２の実施の形態］
第１の実施の形態では、追跡文字キャンセル命令を用いて、複合機８００は、デバイスドライバが通常のデバイスドライバであるのか特別版デバイスドライバであるのかに応じてオーバレイ及び追跡文字の印刷を実行又は実行しない。
【０１１３】
これに対して、第２の実施の形態では、複合機８００は、デバイスドライバが通常のデバイスドライバであるのか特別版デバイスドライバであるのかを印刷ジョブを受ける前、又は、印刷ジョブを受けるときに識別し、その識別結果と、オーバレイ印刷命令の有無と、追跡文字印刷設定の内容のみに基づいて、第１の実施の形態と同様にオーバレイ及び追跡文字の印刷を実行又は実行しない。従って、追跡文字キャンセル命令を用いなくても良いことになる。
【０１１４】
［第３の実施の形態］
同一の情報処理装置を一人のみの利用者が利用する場合には、情報処理装置毎に通常版デバイスドライバ及び特別版デバイスドライバのうちの何れか一方のみを、利用者に合わせてインストールしておけばよい。例えば、情報処理装置を利用する唯一の利用者が特別版の権限を持つ利用者であれば、特別版デバイスドライバをその情報処理装置にインストールし、情報処理装置を利用する唯一の利用者が特別版の権限を持たない利用者であれば、通常版デバイスドライバをその情報処理装置にインストールする。情報処理装置を利用する唯一の利用者が特別版の権限を持つ利用者であれば、特別版デバイスドライバ及び通常版デバイスドライバをその情報処理装置にインストールして、利用者が何れかを選択できるようにしてもよい。
【０１１５】
［第４の実施の形態］
同一の情報処理装置を利用する場合であっても、認証することができた利用者のみが特別版デバイスドライバを利用することができたり、特別版デバイスドライバ又は通常版デバイスドライバを利用することができ、他の利用者は、通常版デバイスドライバのみを利用することができるようにしてもよい。
【０１１６】
また、認証することができた利用者のうちの権限が与えられている利用者のみが特別版デバイスドライバを利用することができたり、特別版デバイスドライバ又は通常版デバイスドライバを利用することができ、他の利用者は、通常版デバイスドライバのみを利用することができるようにしてもよい。
【０１１７】
そのような場合には、図３に示す、第１の情報処理装置１０１及び第２の情報処理装置２０１の何れにも、通常版のデバイスドライバ１０７及び特別版のデバイスドライバ２０７を予めインストールしておく。
【０１１８】
［第５の実施の形態］
本発明では、オーバレイとしては、印刷内容の全くないものが含まれる。このようなオーバレイを追加した場合、印刷内容は、オーバレイを追加しない場合の印刷内容と同一となる。このようなオーバレイを用いると、追跡文字の代わりにオーバレイを印刷すると、印刷内容は、追跡文字もオーバレイも追加されていないものになる。
【０１１９】
[第６の実施の形態]
第５の実施形態と同様な効果を、追跡文字キャンセルが命令が含まれている場合の印刷内容を変更することによっても得ることができる。つまり、第２乃至第５の実施の形態においては、図６Ａに示す印刷項目真理値表３１３の内容に従っていたが、これを図６Ｂの印刷項目真理値表３１３の内容に従うように変更する。図６Ａの印刷項目真理値表３１３の内容と図６Ｂの印刷項目真理値表３１３の内容は、最下行のみにおいて異なる。つまり、図６Ｂの印刷項目真理値表３１３の内容に従うと、追跡文字の設定がＯＮであり、オーバレイの指定がオンであるときには、オーバレイの指定がオンであることに対応して、特別版デバイスドライバからは、追跡文字キャンセル命令がオンとなるが、この場合には、追跡文字の印刷を控えるのみならず、オーバレイの印刷も控える。
【０１２０】
［第７の実施の形態］
上記の実施の形態においては、オーバレイの画像データは、複合機８００に事前に格納させていてもよいし、情報処理装置１０１、２０１に事前に格納させていてもよい。そして、情報処理装置１０１、２０１に事前に格納させておく場合には、印刷ジョブ送信時に、原稿の画像データとは別個に印刷ジョブに含ませてオーバレイの画像データを情報処理装置１０１、２０１から複合機８００に送信し、複合機８００において、これらの画像データを合成する。
【０１２１】
これに対して、本実施形態においては、オーバレイの画像データを、情報処理装置１０１、２０１に事前に格納させておく。そして、事前に原稿の画像データとオーバレイの画像データを合成し、印刷ジョブ送信時には、合成後の画像データを情報処理装置１０１、２０１から複合機８００に送信する。
【０１２２】
本実施形態においては、複合機８００に対する設定と、デバイスドライバ１０７、２０７からの命令により、図４（ａ）乃至図４（ｃ）の何れかの形態の印刷物を選択的に印刷することができるが、そのためには、図５に示すように、印刷処理部３０３は、複合機８００に対する設定を反映した追跡文字フラグ３０７、デバイスドライバ１０７、２０７からの命令を反映した追跡文字キャンセルフラグ３１１を利用する。第１の実施の形態と異なり、デバイスドライバ１０７、２０７からは、オーバレイ印刷命令は、常に、出力されない。これに対応して、図９に示すように、本実施形態による複合機８００の印刷処理部３０３の周辺部には、追跡文字設定フラグ３０７、追跡文字キャンセルフラグ３１１及び印刷項目テーブル３１３は設けられるが、オーバレイフラグは設けられない。
【０１２３】
複合機８００は、操作パネル８４３を介して、追跡文字４０３を印刷するか否かの指定を受けることができる。受けた内容は、追跡文字フラグ３０７により保持される。追跡文字フラグ３０７は、追跡文字４０３の印刷をする指定がされればセットされ、追跡文字４０３の印刷をしない指定がされればリセットされる。
【０１２４】
また、第１又は第２の情報処理装置１０１又は２０１から受信する印刷ジョブには、追跡文字キャンセル命令が含まれていたり含まれていなかったりするが、追跡文字キャンセルフラグ３１１により追跡文字キャンセル命令に関する情報が保持される。追跡文字キャンセルフラグ３１１は、印刷ジョブに追跡文字キャンセル命令が含まれていればセットされ、印刷ジョブに追跡文字キャンセル命令が含まれていなければリセットされる。
【０１２５】
なお、第１又は第２のデバイスドライバ１０７又は２０７は、利用者による操作に従って、複合機８００に送信する印刷ジョブのオーバレイ４０５に関する情報を設定する。利用者がオーバレイ印刷をするための設定や指示をした場合には、通常版の第２のデバイスドライバ１０７又は特別版デバイスドライバ２０７は、上述したように、原稿の画像データとオーバレイの画像データを合成し、印刷ジョブ送信時には、合成後の画像データを印刷ジョブに含める。
【０１２６】
また、通常版デバイスドライバ１０７は、常に、追跡文字キャンセル命令を印刷ジョブに含めない。つまり、通常版デバイスドライバ１０７は、利用者がオーバレイ印刷をするための設定や指示をした場合であってもそうでない場合であっても、追跡文字キャンセル命令を印刷ジョブに含めない。
【０１２７】
特別版デバイスドライバ２０７は、利用者がオーバレイ印刷をするための設定や指示をした場合には、追跡文字キャンセル命令を印刷ジョブに含めるが、そうでない場合には、追跡文字キャンセル命令を印刷ジョブに含めない。
【０１２８】
印刷処理部３０３が参照する印刷項目真理値表３１３の内容を示す図６Ｃを参照して、様々な場合に対応したオーバレイ及び追跡文字の印刷の実行の有無の説明をする。
【０１２９】
複合機８００に対して追跡文字印刷ＯＦＦの設定がされている場合には、通常版デバイスドライバ１０７からの印刷ジョブに対しては、複合機８００は、次のように動作する。つまり、追跡文字は常に印刷しない。また、原稿画像の画像データにオーバレイの画像データが重畳されていれば、そのまま、オーバレイを印刷する。
【０１３０】
複合機８００に対して追跡文字印刷ＯＮの設定がされている場合には、通常版デバイスドライバ１０７からの印刷ジョブに対しては、複合機８００は、次のように動作する。つまり、追跡文字は常に印刷する。また、原稿画像の画像データにオーバレイの画像データが重畳されていれば、そのまま、オーバレイを印刷する。
【０１３１】
複合機８００に対して追跡文字印刷ＯＦＦの設定がされている場合には、特別版デバイスドライバ２０７からの印刷ジョブに対しては、複合機８００は、次のように動作する。つまり、追跡文字は常に印刷しない。また、また、原稿画像の画像データにオーバレイの画像データが重畳されていれば、そのまま、オーバレイを印刷する。これは、通常版デバイスドライバ１０７の場合と同様である。
【０１３２】
複合機８００に対して追跡文字印刷ＯＮの設定がされている場合には、特別版デバイスドライバ２０７からの印刷ジョブに対しては、複合機８００は、次のように動作する。つまり、ユーザによるオーバレイ印刷の指定がある場合には、追跡文字を印刷する。また、原稿画像の画像データにオーバレイの画像データが重畳されていれば、そのまま、オーバレイを印刷する。
【０１３３】
上記の動作を、追跡文字キャンセル命令に着目して、説明すると次のようになる。
【０１３４】
複合機８００に対して追跡文字印刷ＯＦＦの設定がされている場合には、通常版デバイスドライバ１０７及び特別版デバイスドライバ２０７の双方からの印刷ジョブに対して、複合機８００は、次のように動作する。つまり、追跡文字は常に印刷しない。また、説明が重複するが、原稿画像の画像データにオーバレイの画像データが重畳されていれば、そのまま、オーバレイを印刷する。
【０１３５】
複合機８００に対して追跡文字印刷ＯＮの設定がされている場合には、通常版デバイスドライバ１０７及び特別版デバイスドライバ２０７の双方からの印刷ジョブに対して、複合機８００は、次のように動作する。つまり、追跡文字キャンセル命令がなければ、原稿画像の画像データにオーバレイの画像データが重畳されているか否かにかかわらず、追跡文字を印刷する。また、説明が重複するが、原稿画像の画像データにオーバレイの画像データが重畳されていれば、そのまま、オーバレイを印刷する。
【０１３６】
次に、通常版デバイスドライバ１０７は、オーバレイ印刷の指定を受けても受けなくても、追跡文字キャンセル命令を印刷ジョブに含めない。また、特別版デバイスドライバ２０７は、オーバレイ印刷の指定を受けなければ、追跡文字キャンセル命令を印刷ジョブに含めないが、オーバレイ印刷の指定を受ければ、追跡文字キャンセル命令を印刷ジョブに含める。
【０１３７】
また、通常版デバイスドライバ１０７、特別版デバイスドライバ２０７の双方は、オーバレイ印刷の指定を受ければ、原稿画像の画像データにオーバレイの画像データを重畳させる。
【０１３８】
次に、図１０を参照して、通常版デバイスドライバ１０７を利用した場合の動作例を説明する。
【０１３９】
まず、管理者が画像処理装置５０１に対して、追跡文字印刷ＯＦＦの設定をする（ステップＳ６０１）。
【０１４０】
次に、通常版デバイスドライバ利用者が第１の情報処理装置１０１に対して、オーバレイＯＦＦの設定と共に印刷のための操作をする（ステップＳ６０３）。
【０１４１】
次に、第１の情報処理装置１０１が、複合機８００に対して、印刷ジョブを送信する（ステップＳ６０５）。ここでの印刷ジョブには、原稿のみの画像データが含まれているが、追跡文字キャンセル命令は含まれていない。
【０１４２】
次に、複合機８００は、印刷を実行する（ステップＳ６０７）。ここでは、本文を印刷するが、追跡文字とオーバレイは印刷しない。
【０１４３】
次に、通常版デバイスドライバ利用者が第１の情報処理装置１０１に対して、オーバレイＯＮの設定と共に印刷のための操作をする（ステップＳ６０９）。
【０１４４】
次に、通常版デバイスドライバは、原稿の画像データにオーバレイの画像データを重畳する（ステップＳ６１０）。
【０１４５】
次に、第１の情報処理装置１０１が、複合機８００に対して、印刷ジョブを送信する（ステップＳ６１１）。ここでの印刷ジョブには、原稿の画像データとオーバレイの画像データを重畳して得た画像データが含まれているが、追跡文字キャンセル命令は含まれていない。
【０１４６】
次に、複合機８００は、印刷を実行する（ステップＳ６１３）。ここでは、本文を印刷とオーバレイを印刷するが、追跡文字は印刷しない。
【０１４７】
次に、管理者が画像処理装置５０１に対して、追跡文字印刷ＯＮの設定をする（ステップＳ６１５）。
【０１４８】
次に、通常版デバイスドライバ利用者が第１の情報処理装置１０１に対して、オーバレイＯＦＦの設定と共に印刷のための操作をする（ステップＳ６１７）。
【０１４９】
次に、第１の情報処理装置１０１が、複合機８００に対して、印刷ジョブを送信する（ステップＳ６１９）。ここでの印刷ジョブには、原稿のみの画像データが含まれているが、追跡文字キャンセル命令は含まれていない。
【０１５０】
次に、複合機８００は、印刷を実行する（ステップＳ６２１）。ここでは、本文と追跡文字を印刷するが、オーバレイは印刷しない。
【０１５１】
次に、通常版デバイスドライバ利用者が第１の情報処理装置１０１に対して、オーバレイＯＮの設定と共に印刷のための操作をする（ステップＳ６２３）。
【０１５２】
次に、通常版デバイスドライバは、原稿の画像データにオーバレイの画像データを重畳する（ステップＳ６２４）。
【０１５３】
次に、第１の情報処理装置１０１が、複合機８００に対して、印刷ジョブを送信する（ステップＳ６２５）。ここでの印刷ジョブには、原稿の画像データとオーバレイの画像データを重畳して得た画像データが含まれているが、追跡文字キャンセル命令は含まれていない。
【０１５４】
次に、複合機８００は、印刷を実行する（ステップＳ６２７）。ここでは、本文と追跡文字とオーバレイを印刷する。
【０１５５】
次に、図１１を参照して、特別版デバイスドライバ２０７を利用した場合の動作例を説明する。
【０１５６】
まず、管理者が画像処理装置５０１に対して、追跡文字印刷ＯＦＦの設定をする（ステップＳ６３１）。
【０１５７】
次に、特別版デバイスドライバ利用者が第２の情報処理装置２０１に対して、オーバレイＯＦＦの設定と共に印刷のための操作をする（ステップＳ６３３）。
【０１５８】
次に、第２の情報処理装置２０１が、複合機８００に対して、印刷ジョブを送信する（ステップＳ６３５）。ここでの印刷ジョブには、原稿のみの画像データが含まれているが、追跡文字キャンセル命令は含まれていない。
【０１５９】
次に、複合機８００は、印刷を実行する（ステップＳ６３７）。ここでは、本文を印刷するが、追跡文字とオーバレイは印刷しない。
【０１６０】
次に、特別版デバイスドライバ利用者が第２の情報処理装置２０１に対して、オーバレイＯＮの設定と共に印刷のための操作をする（ステップＳ６３９）。
【０１６１】
次に、特別版デバイスドライバは、原稿の画像データにオーバレイの画像データを重畳する（ステップＳ６４０）。
【０１６２】
次に、第２の情報処理装置２０１が、複合機８００に対して、印刷ジョブを送信する（ステップＳ６４１）。ここでの印刷ジョブには原稿の画像データとオーバレイの画像データを重畳して得た画像データが含まれているが、追跡文字キャンセル命令は含まれていない。
【０１６３】
次に、複合機８００は、印刷を実行する（ステップＳ６４３）。ここでは、本文を印刷とオーバレイを印刷するが、追跡文字は印刷しない。
【０１６４】
次に、管理者が画像処理装置５０１に対して、追跡文字印刷ＯＮの設定をする（ステップＳ６４５）。
【０１６５】
次に、特別版デバイスドライバ利用者が第２の情報処理装置２０１に対して、オーバレイＯＦＦの設定と共に印刷のための操作をする（ステップＳ６４７）。
【０１６６】
次に、第２の情報処理装置２０１が、複合機８００に対して、印刷ジョブを送信する（ステップＳ６４９）。ここでの印刷ジョブには、原稿のみの画像データが含まれているが、追跡文字キャンセル命令は含まれていない。
【０１６７】
次に、複合機８００は、印刷を実行する（ステップＳ６５１）。ここでは、本文と追跡文字を印刷するが、オーバレイは印刷しない。
【０１６８】
次に、特別版デバイスドライバ利用者が第２の情報処理装置２０１に対して、オーバレイＯＮの設定と共に印刷のための操作をする（ステップＳ６５３）。
【０１６９】
次に、特別版デバイスドライバは、原稿の画像データにオーバレイの画像データを重畳する（ステップＳ６５４）。
【０１７０】
次に、第２の情報処理装置２０１が、複合機８００に対して、印刷ジョブを送信する（ステップＳ６５５）。ここでの印刷ジョブには、原稿の画像データとオーバレイの画像データを重畳して得た画像データが含まれていて、追跡文字キャンセル命令も含まれている。
【０１７１】
次に、複合機８００は、印刷を実行する（ステップＳ６５７）。ここでは、本文とオーバレイを印刷するが、追跡文字は印刷しない。つまり、追跡文字の代わりにオーバレイを印刷する。
【０１７２】
第２の実施の形態から第３乃至第６の実施の形態を派生させたのと同様に、第７の実施の形態から他の形態を派生させることができる。
【０１７３】
なお、印刷ジョブにオーバレイ印刷の指定が含まれないことには、無効な値のオペランドまたは否定的な値のオペランドを持つオーバレイ印刷命令が含まれることも含まれる。また、追跡文字キャンセル命令が含まれないことには、無効な値のオペランドまたは否定的な値のオペランドを持つ追跡文字キャンセル命令が含まれることも含まれる。
【０１７４】
また、上記の画像形成装置又は情報処理装置は、ハードウェア、ソフトウェア又はこれらの組合わせにより実現することができる。また、上記の画像形成装置、情報処理装置又はこれらの組み合わせにより行なわれる画像形成方法も、ハードウェア、ソフトウェア又はこれらに組合わせにより実現することができる。ここで、ソフトウェアによって実現されるとは、コンピュータがプログラムを読み込んで実行することにより実現されることを意味する。
【０１７５】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【０１７６】
本発明は、印刷媒体に画像を形成するために利用することができる。また、本発明は、印刷物のセキュリティを管理するために利用することができる。
【符号の説明】
【０１７７】
１０１  第１の情報処理装置
１０３  オペレーティングシステム
１０５  アプリケーションプログラム
１０７  通常版デバイスドライバ
１０９  入出力インターフェース
２０１  第２の情報処理装置
２０３  オペレーティングシステム
２０５  アプリケーションプログラム
２０７  特別版デバイスドライバ
２０９  入出力インターフェース
３０１  画像処理装置
３０３  印刷処理部
３０５  入出力インターフェース
３０７  追跡文字フラグ
３０９  オーバレイフラグ
３１１  追跡文字キャンセルフラグ
３１３  印刷項目真理値表
５０１  ネットワーク
８３０  画像形成部
【図１】
2018169858.tif 000003
【図２】
2018169858.tif 000004
【図３】
2018169858.tif 000005
【図４】
2018169858.tif 000006
【図５】
2018169858.tif 000007
【図６Ａ】
2018169858.tif 000008
【図６Ｂ】
2018169858.tif 000009
【図６Ｃ】
2018169858.tif 000010
【図７】
2018169858.tif 000011
【図８】
2018169858.tif 000012
【図９】
2018169858.tif 000013
【図１０】
2018169858.tif 000014
【図１１】
2018169858.tif 000015
【図１２】
2018169858.tif 000016
【図１３】
2018169858.tif 000017
【図１４】
2018169858.tif 000018